(57)【要約】本装置は、移動路の内側、即ち、凹状側から回転式剛性シートコンベア装置（２，３，４，５）により半径通路上で位置合わせした状態で搬送される印刷シート（１）の検査（１０，１１，１２）、マーキング（９）、またはその他のプロセッシングまたはモニタを可能にする。【選択図】図１
2004517787.tif 000002
【特許請求の範囲】
【請求項１】
搬送路により包囲された空間の内部に設置された装置によって回転軸に対面する搬送物の側面に作用するための、固定回転軸を中心に移動する実質的剛性コンベアシテスムにより形成される搬送路上でシート状物を搬送するコンベア装置。
【請求項２】
前記コンベアシテスムはシート状物を保持し、搬送しかつ前進させるために実質的剛性の機械的フレームによって形成され、かつ前記搬送路の内部からのシート状物の全面または一部へのアクセスを可能にすることを特徴とする、請求項１のコンベア装置。
【請求項３】
前記搬送路で搬送されるシート状物の案内が前記搬送路により包囲された空間の外側に配置されたシートガイド要素により行なわれることを特徴とする、請求項１のコンベア装置。
【請求項４】
前記搬送路により包囲された空間の内部に設置された装置はシート状物をプロセッシング、モニタ、マーキング、位置合わせ、照明、検査等をするシテスムである、請求項１のコンベア装置。
【請求項５】
前記搬送路により包囲された空間の内部に設置された装置は前記搬送路により包囲された空間の内部から搬送されるシート状物の小領域または全領域上に作用することを特徴とする、請求項１のコンベア装置。
【請求項６】
前記コンベア装置は第一および第二コンベア装置から成り、第一および第二コンベア装置は、シート状物の一側面に作用すべくシート状物を第一シートコンベア装置へ供給し、かつ次いでシート状物の反対側面に作用すべくシート状物を第二シートコンベア装置に供給するように連結されていることを特徴とする、請求項１のコンベア装置。
【請求項７】
前記コンベア装置の駆動は、ギア駆動装置、チエン駆動装置、または歯付きベルト駆動装置等機械的手段によって、前記コンベア装置が設置される印刷機またはコンベア機の駆動源から提供されることを特徴とする、請求項１または６のコンベア装置。
【請求項８】
前記コンベア装置の駆動装置は、前記コンベア装置を設置する印刷機またはコンベア機と同期する分離個別駆動装置として設計されている、請求項１または６の装置。
【請求項９】
チエン、ベルト等のトランスミッション要素は、全ワーキングシテスムが前記コンベア装置の内部に設置されかつ前記コンベア装置のフレームに両側で機械的に堅く連結されて前記コンベア装置が運転できる状態になると、連結部材を分解または弛緩することなく前記トランスミッション要素を機械的かつアクセス自在に組立てまたは分解できるように、配置されていることを特徴とする、請求項７のコンベア装置。
【請求項１０】
前記連結された第一および第二コンベア装置間、ならびに前記コンベア装置と上流または下流に連結された移送シリンダとの間の同期は、グリッパシテスムの領域内の搬送路の名目直径に半径方向に調整自在に配置されかつシート移送時に相互に係合する歯付きセグメントにより付加的に同期されることを特徴とする、請求項７または８のコンベア装置。
【請求項１１】
前記歯付きセグメントのピッチ円直径はシート搬送路の名目直径よりも小さく、かつ前記二つの直径は、シート移送が達成される前に結果として歯の遊びが連続的に小さくなってシート移送時に可能な限り縮小しかつシート移送後に連続的に大きくなるように、一つのグリッパシテスムから対応するグリッパシテスムへ搬送されるシートの移送点で接触することを特徴とする、請求項１０に記載の駆動装置の同期方法。
【請求項１２】
前記コンベアシテスムは、選択的に、シリンダ設計の中空本体により形成されかつグリッパシテスムを周辺上に具備し、かつ前記コンベア装置の内部からその装置の内部に対面するシート領域の全部または一部へのアクセスがシリンダカバー内の適宜切欠きにより可能であることを特徴とする、請求項１のコンベア装置。
【請求項１３】
駆動装置、軸受け、および制御要素の全ては、前記コンベア装置の駆動側で、前記駆動側と反対の作業側から作業側で開放した断面を介して前記コンベア装置の内部へ自由にアクセスできるように、連結されていることを特徴とする、請求項１または６のコンベア装置。
【請求項１４】
前記コンベア装置の内部に設置される全装置の設置、調整、作動、維持、供給、および除去は開放作業側から行なわれることができることを特徴とする、請求項１３のコンベア装置。
【請求項１５】
機械的フレームへのコンベア装置の取付けは、駆動側または作業側のいずれか一側で行なわれ、適宜直径の操作開口部を有する連続リングを含み、前記連続リングは機械的フレーム内に配置されたカムローラまたは軸受けにより案内され、かつ前記機械的フレームは適宜寸法の操作開口部を有することを特徴とする、請求項１３のコンベア装置。
【請求項１６】
前記コンベア装置は内部に設置された、シートの印刷、ナンバリング、搬送、塗布、エンボス、パッキング、選別、またはプロセッシング等の機械を備えた機能的要素であることを特徴とする、請求項１または６のコンベア装置。
【請求項１７】
前記コンベア装置内に設置されたシテスムにより作成される情報、分類、実行されるプロセス、検査、または付与される識別、またはマーキングに基づいて、その機械において続く作業プロセスの進行が、その作業による作用により制御されるが、対応するシートについて行なわれずまたは変化を与えないことを特徴とする、請求項１６に記載の機械への前記コンベア装置の一体化。
【請求項１８】
前記コンベア装置は、材料供給装置および配送装置を備えた自蔵式機械として、かつコンベア装置の内部に設置された装置によってシート状物をプロセッシング、モニタ、マーキング、位置合わせ、分類、検査または選別するために作動するための自蔵式駆動源として作動することを特徴とする、請求項１または６のコンベア装置。
【発明の詳細な説明】
【０００１】
本発明は、内側、即ち移動通路の凹側から、剛性回転式シートコンベア装置により半径方向通路上に位置合わせして搬送された印刷シートの検査、マーキング、または他の処理またはモニタを可能にすることに関する。
【０００２】
シート供給印刷機（例えば、証券シート供給機）のシート供給機およびシート配送機の両領域へのシート搬送は、位置合わせ（ｒｅｇｉｓｔｅｒ）を維持しない吸引、ベルトおよびチエーンコンベアシテスムにより適宜行なわれ、かつ同様に印刷ユニットの領域へはトランスファシリンダまたは圧シリンダ上のグリッパシテスム内で位置合わせして強制的案内により行なわれる。
【０００３】
従って、印刷作業それ自体、およびマーキング、プロセッシング、読み取り、またはモニタ作業等の印刷プロセスに関する全処理について、凸状シリンダ面（印刷作業時の線接触、リニアカメラによる線モニタ）上に当接する個別印刷シートは、単に部分的にアクセスできるのみである。
【０００４】
対照的に、例えば二次元カメラによるシート検査のために、シリンダ面の曲率の許容できない影響を受けることなく、印刷シートの全面に同時にアクセスしなければならない場合には、例えば吸引プレート等のガイド装置上の、チエンまたは他のリニアシートコンベアシテスムによって、シートガイドシテスムにおいて既知方法により行う事ができる。
【０００５】
かかる場合、既存コンベアシテスム（例えば、コンベアチエン）それ自体の機械的公差は有害作用をし、位置合わせの不精確性を解消するために費用等（例えば、機械的または電子的位置合わせ（ｒｅｇｉｓｔｅｒ）シテスム）が必要になる。
【０００６】
コンベアシテスムそれ自体（チエン、チエンレール、スプロケットシャフト）の構成要素に加えて、搬送または検査作業が行なわれた後に印刷ユニットにおける続く印刷プロセスに印刷シートを位置合わせして直ちに給送しなければならない場合に、特に印刷シートを整合させる付加的装置またはグリッパシテスムが必要とされる。
【０００７】
従って、本発明の目的は、印刷シートのシリンダのコンベア手段の位置合わせの維持を可能にすると同時に印刷シートのフラットなコンベア手段の全面へのアクセスを可能にすることにある。
【０００８】
構成上の費用および位置合わせを維持しないコンベアシテスムの継続的整合のためのコストが削減されなければならない。凸状シリンダ外面の曲率の干渉的影響を受けることなく、印刷シートは同時に全領域にわたってアクセスできる、即ちモニタまたは処理できるものでなければならない。
【０００９】
シートコンベア装置はコンパクト化、コスト効果、および既存印刷機への弾力的一体化を可能にするものであるべきである。
【００１０】
本発明によれば、この目的は、複数のシートグリッパシテスムを具備し、かつ円形のシート搬送路を描き、かつ位置合わせ維持マウントを有する剛性回転式シートコンベア装置により達成される。この場合、シート案内は円形搬送路の外側から行なわれ、搬送されたシートは搬送路の凹状内側から自由にアクセスできる。
【００１１】
本発明の第一の利点は、外部シート運搬−案内通路が内部検査、マーキング、読み取りまたはプロセッシング装置を包囲することである。
【００１２】
このことは、空間節約設計を可能にしかつ円形通路の凹状内面へのアクセスを可能にする。このことは、シートフォーマットに対して大きな曲率半径を有する（Ｒ＞シート長）ので、円形外面と比較して検査または画像取得処理について光学的に実質的に有益である。
【００１３】
本発明によるコンベアシテスムの第二の利点は、剛性マウントユニットとしての設計にある。即ち、固定軸を中心に回転し、そして例えば、半径方向もしくは放射状グリッパアーム上にシートグリッパシテスムを有し、結果としてシリンダコンベア手段の位置合わせを維持し、従来シリンダと比較して、この目的のために必要とされる位置合わせに関する付加的機械的費用を必要としない。
【００１４】
更に有利な改善は、本発明によるシートコンベア装置は、歯付きベルト駆動装置等の低捩じり剛性を有する駆動装置によりコスト効果のある駆動が可能であることである。円周方向における連続的同期位置合わせが搬送路の全通路において必要とされず、単に一つのコンベア装置から他の第二コンベアへ、または移送ドラムへ印刷シートを移送する時にのみ位置合わせ移送が必要とされる。
【００１５】
この設計において、移送コンベアシテスムのグリッパシテスムに適合するギアセグメントは対応するコンベアシテスムのグリッパシテスムに適合するために対峙するギアセグメントと係合する。この場合、二つのコンベアシテスムは印刷シートの移送点で相互に対して半径方向に精確に対峙整合する。従って、位置合わせしたシート移送が実行される。
【００１６】
ギアセグメントは、この場合、選択される歯のピッチ円直径がコンベア装置のシート搬送路の名目直径よりも小さくなるように形成される。
【００１７】
このことは、シートグリッパシテスムが移送点に接近するときに、二つの対峙する対応ギアセグメントが初期に相対的に大きい歯の遊びを以って粗に係合することを確実にする。
【００１８】
シート搬送路の名目直径を有する歯付きセグメントのピッチ円直径の接触点は、印刷シートの移送点と一致するので、歯の遊びは移送点への接近に伴って遊びゼロまたは最小値に減少し、このようにしてシート転送時にコンベア装置の精確に位置合わせした整合を可能にする。
【００１９】
シート移送後に、歯の係合が反対方向においてシート移送の外側になり、コンベア装置が相互に、および歯付きベルト駆動装置を介して次の移送ドラムに連結される。
【００２０】
歯付きセグメントの製造上の利点は、運転時に必要とされる可変の歯の遊びを可能にすると同時に、一定寸法を有する従来歯のコスト効果的使用を可能にすることである。
【００２１】
特に、設置および維持に有益な歯付きベルト駆動装置の設計は、コンベア装置の固定軸を保持するために使用される機械的側フレーム部分を歯付きベルトスプロケットと歯付きベルト間の領域から外側へ案内することにあり、これはコンベア装置が運転できる状態になると、歯付きベルトの交換または設置が前記側フレーム部分の分解を伴うことなく外側から随時可能となるように行なわれる。
【００２２】
機能的原理の有利改良において、二つのシートコンベア装置が反対方向に連結され、それによりプロセス、マーキング、モニタ、または検査される印刷シートが、第一コンベア装置において前側面、そしてその後に直ちに第二コンベア装置において後側面からの両側からのアクセスがかかる処理のために可能である。更に、第一コンベア装置の上方に第二コンベア装置を垂直配置することにより、印刷機またはコンベア装置を合体したユニットの必要な全長は従来シートコンベア装置と比較して実質的に短縮される。
【００２３】
製造および費用面で有益なコンベア装置の設計は、コンベア装置を保持するための機械的フレームを、回転軸およびマウント領域においてのみ負荷受け要素として形成し、他方、外部円形シート移動通路の領域において、コスト効果的に製造できるガイド要素およびハウジング要素のみを意図する目的に従って必要とすることにより実現される。
【００２４】
既知シートガイドロッドまたはシートガイドプレートに加えて、上述のシートガイド要素は、第一に円形移動通路上の印刷シートをコンベア装置の上部において重力に反して案内するために、かつ第二に印刷シートがプロセッシング、マーキング、モニタ、または検査作業のために通過するときにガイド面上にシート面を精確に円滑に当接維持するために、孔を開けた吸引プレート付き吸引ボックス等の吸引要素として構成されることが望ましい。
【００２５】
更に、吸引要素は、透過される光による検査を実行する、即ち、印刷シートを透照するために、結果的にシート通路の外側に配置された光源に対して光通路にギャップ（ｇａｐ）を作るように、搬送方向に対して直角に遮断されてよい。
【００２６】
吸引要素の有利形態は、設置、維持および調節目的から、手段コンベア装置の内部領域に設置されたシテスムに外側から自由にアクセスするために、容易に折り曲げまたは除去できるように、シートガイド手段の個別部を設計することである。
【００２７】
特定目的から必要とされる場合には、作業側からの自由アクセスを可能にするためにコンベア装置を他の形態に設計することができる。
【００２８】
この場合、駆動、取付け、制御要素の全てが、コンベア装置の設計上閉鎖されている駆動側に設置される。他方、設計上開放されている作業側で、支持受けが搬送路の略名目直径に配置された連続リングによって提供されかつ側フレームに取付けられたカムローラにより案内される。
【００２９】
このように、コンベア装置内に設置されかつそこで操作されるシテスムの全てがコンベア装置内で作業位置においてアクセス自在に有利に操作、供給、または取付けられ、かつ維持、設置または調整目的から簡単な方法で側方向へ除去でき、または適宜装置によってコンベア装置の外部へ側方向から移動できる。
【００３０】
本発明は、シート供給装置、シート配送装置、および自蔵式駆動装置に連結してプロセッシング、モニタ、選別、または検査目的で運転される自蔵式シートコンベア機として、かつ既存のシート印刷機またはナンバリング機と有利に一体化して使用できる。
【００３１】
特に有利な構成は、例えば検査または読み取り操作によって、コンベア装置を通過するときに行なわれる印刷シートの分類に基づいて、続く印刷プロセスシーケンスが、その印刷作業を対応するシートまたはブランクについて行なうか、行なわないか、または変更すべきかを制御できるように、シートコンベア装置が実際の印刷ユニットまたは印刷機のナンバリングユニットの上流に構造的に連結されることに起因する。
【００３２】
例えば、不良シートと評価された印刷シートの更なる印刷またはナンバリングは、例えば上流に連結されたコンベア装置内の検査作業に基づいて遮断されることができる。
【００３３】
本発明の他の詳細説明および利点は図面に関する次の説明を使用することにより行なわれる。
【００３４】
図１の図面において、搬送されるシート１は、グリッパシテスム２により円形通路上を移動する。前記グリッパシテスムは剛性グリッパアーム３により中心マウント５の中空シャフト４に連結されている。
【００３５】
シートの実際の案内は、シートの外側に設置された吸引要素６またはシートガイドロッド７により提供される。記載されたように、印刷シートはこのようにして全コンベア通過時に装置の内部８から自由にアクセスできる。
【００３６】
図示例において、内部８にはシートマーキングシテスム９、内側に設置された照明１１を備えたシート検査またはモニタシテスム１０、および外側に設置された光源１３を備えたシート透照検査シテスムまたは透明検査シテスム１２が示されている。
【００３７】
剛性設計および回転コンベア装置の遊びの無い取付および図６に示された位置合わせ（ｒｅｇｉｓｔｅｒ）シテスムの結果として、シートは、一つのグリッパシテスム２から他のグリッパシテスム２へシートを運搬する装置と装置との間の移送点１４で、また同様に移送ドラム１６の移送点１５で、付加的機械的ガイドまたはこの目的に必要とされる係止要素を必要とすることなく、位置合わせされて転送される。
【００３８】
図２の図示例において、図１によるコンベア装置を通る固定中心軸２０の断面が示されており、前記固定中心軸２０は図１の９，１０，１１および１２で示されたシテスムの設置に使用される。
【００３９】
図示されたように、複数のマーキングステーションを有するシートマーキングシテスム９の特定設計は印刷シート上の個別ブランクの分離マーキングに使用される。
【００４０】
コンベア装置の複数のグリッパアーム３または側フランジ３は、図示されたように内側に設置された前記シテスムを包囲しかつ共に側フレーム２１内に取付けられた中空駆動シャフト２２に誘導されている。
【００４１】
コンベア装置の駆動はギア２３、歯付きベルト、スプロケット、または他の駆動手段により側フレーム２１の内側または外側で駆動シャフト２２により提供され、かつ選択的に電子制御により直接駆動（図示せず）するものとして設計されてよい。
【００４２】
中空中心シャフトもしくは軸２０は、同時に設置シテスムに対する制御ケーブルのガイド用かつ線供給用に使用される。
【００４３】
図３の図示例において、シート前後両側面３０，３１の連続的プロセッシング、モニタ、マーキングまたは検査のために二つのコンベア装置の二重配置が示されている。
【００４４】
この事例において、印刷シートは第一に第一コンベア装置３２により移送ドラム３３からピックアップされ、かつシートの前側面に作用するカメラ／照明シテスム３４として図示されたシテスムへ供給される。
【００４５】
図示されたように、シート案内は、重力および遠心力の影響下でガイド要素上の印刷シートが十分にフラット状態を確保している場合には、ガイドプレートまたはガイドロッド３５により提供される。
【００４６】
第二コンベア装置３６において、シートは次に、シートの後側面に作用する、同様にカメラ／照明シテスム３７として図示された第二シテスムへ供給される。
【００４７】
シート案内は、図示されたように、シートを重力作用と反対のガイド面上に付加的に保持すべきであるシート通路の領域において吸引プレートまたは吸引ボックス３８により実行される。更に、図示例のごとく、第二コンベア装置において他のモニタまたは検査シテスム３９が、例えばシートの透照のために設置され、またはマーキングシテスム４０が、例えば設置された検査シテスムで、決定されたシートの分類をマーキングするために配置されてよい。
【００４８】
第二コンベア装置３６を通過後に、印刷されたシートは、例えば印刷機内における外方への運搬の為に他の移送ドラム４１，４２へ、またはシート配送装置へ転送される。
【００４９】
移送ドラムからコンベア装置、そして第一コンベア装置から第二コンベア装置への全シートの転送は、コンベア装置がギアで駆動しない場合には、図６に示された移送点でギアセグメントにより位置合わせするように更に同期される。
【００５０】
図４の図示形態において、シートコンベア装置の駆動は、印刷機の駆動側からまたは駆動モータから歯付きベルト５０，５１により有利に提供される。
【００５１】
このことは、駆動ギアの省略により生産コストおよび材料の節約を可能にし、かつコンベア装置および印刷機の移送ドラムの設置位置への駆動媒体の適用を容易にする。
【００５２】
ギア５２は機械的駆動装置の従来ギア列を示す。
【００５３】
歯付きベルト駆動装置の駆動プーリー５３は最後の二つの反対回転ギアに連結されている。
【００５４】
実際のコンベア装置の駆動プーリー５４は、空間節約からステップアップ比を考慮して、図示されたようにコンベア装置の名目直径よりも小さく設計される。
【００５５】
歯付きベルト５０，５１は、図示例のごとく、同一回転方向の複数の軸を有し、例えば第二コンベア装置の駆動装置および移送ドラムの駆動装置５６が単一ベルト列により第一コンベア装置に連結されるように、テンションローラ５５上に案内される。
【００５６】
特に有利な設計として、コンベア装置の固定中心軸２０を保持するために使用される側フレーム部５７は、それぞれの歯付きベルト駆動装置により包囲された歯付きベルト列内の領域５８の駆動面へ、歯付きベルトの組立または分解がフレーム部の分解またはコンベアシテスムの固定中心軸２０を緩めることなく可能となるように誘導される。側フレーム部５７は設置シテスムに応じて半永久的に構成されてよい。
【００５７】
図５の図示例において、歯付きベルトにより駆動される図４による二重配置のコンベア装置の断面が示されている。
【００５８】
コンベア装置の内部に設置された図示されていないシテスムが上述のごとく剛性中心軸６０へ取付けられている。中心軸６０は、図４で説明したように、同時にそのシテスムのケーブルを案内する働きをしかつ歯付きベルトの駆動面へ誘導された側フレーム部５７に駆動側で取付けられている。
【００５９】
歯付きベルト駆動面は、上述しかつここに断面図で示された、歯付きプーリーおよびテンションローラ５３，５４および５５により形成される。
【００６０】
ギア列５２の出力ギアは同時にベルト列の駆動プーリー５３に連結されている。
【００６１】
グリッパアーム３または側フランジ６３、および内部中空シャフト６４と共に、グリッパシテスム６２は実際に堅く連結されたシート回転コンベア装置を形成する。
【００６２】
マウント（取付）は機械的側フレーム６５内の回転接触軸受け６１で行なわれる。
【００６３】
図６の図示例において、既に説明したように、コンベア装置のグリッパシテスムの相互に対する、そして移送ドラムに対する精確な同期位置合わせは歯付きセグメント７０により行なわれる。
【００６４】
歯付きセグメントは、シート移送の中心軸（中心線）に対して配向された各シートグリッパシテスムが関連する歯付きセグメントに適合するように、コンベア装置の周辺で側方向に配置される。
【００６５】
歯付きセグメント７０のピッチ円直径７１はコンベア装置の名目直径７２よりも一定量だけ小さく、二つの歯付きセグメント７０が相互に対して接近するときに、初期に相対的に大きい歯の遊びを伴なって歯が係合するようになっている。
【００６６】
シート移送点に向かって更に移動するときに、前記相対的に大きい歯の遊びは二つの直径７１と７２の接近につれて減少し、シート移送点で調整された最小の遊びに縮小する。このシート移送点は同時に直径７１と７２の接触する接点を示す。
【００６７】
このように、完全位置合わせサイクルが各シート移送について行なわれ、かつ例えば使用された駆動装置の弾性の結果として、周辺位置合わせについて駆動側に変動の可能性がある場合でも、精確に位置合わせしたシートの移送が行なわれる。
【００６８】
使用された歯付きセグメント７０の生産上の特別な利点は、歯付きセグメント７０が従来法によりコスト効果的に生産できる歯の幾何学形状からの単なる抽出形態である点であり、かつそれにもかかわらず、例えば歯の形成時には歯の遊びの差異を考慮することなく、継続的位置合わせ作業に関して歯の遊びを連続的に狭くしかつ再度広くすることが可能である。
【００６９】
更に、歯付きセグメント７０は半径方向に移動するようにコンベア装置上に配置され、そのようにして簡単な方法で、シート移送の可能な範囲での最良の位置合わせ維持が相互に噛み合う歯付きセグメント７０を移送点で歯の遊びを最小限に調整することにより達成できる。
【００７０】
図７の図示例はシリンダ本体として設計された他のシートコンベア装置を示す。
【００７１】
この実施例において、シートコンベアシリンダはその取付けを保持するための中空シャフトまたはフランジ８０、分離グリッパアームに代わる一つまたは二つの側壁８１、および分離グリッパクロス部材に代わる円筒状外本体８２を有する。
【００７２】
シートグリッパシテスム８３は従来圧シリンダまたはコンベアシリンダに対応する方法でシリンダカバーに一体化される。
【００７３】
ただし、搬送される各シートについて、シリンダ外面は各実施例において、切欠き８４を有し、これは、少なくともモニタ、プロセッシング、マーキング、読み取りまたは検査プロセスの領域においてコンベア装置の内側からのシート面に対するアクセスを確実にする。
【００７４】
コンベアシリンダの寸法が、周辺分割が所定量に対する最大シートまたはシート抽出長を越えるように選択される場合、そのために残余外面−ウエブ８５により、結果として捩じり剛性構造となる。これは、同時に生産に有利でありかつ本発明の機能的特性を有する。
【００７５】
図８に関する説明において、設置、維持、および操作に特に有利な変形設計が示されており、この形態は操作側（ここでは観察側）からコンベア装置の内部へのアクセスが自由である。
【００７６】
軸受け、制御装置、駆動要素の全てが上述したように一つの駆動側９０に結合されている。
【００７７】
図示された操作側から、回転コンベア装置のマウントはシート通路の略名目直径に配置され、かつ操作側の側フレーム内に取付けられた支持ローラまたは軸受け要素９２により案内される連続リング９１により行なわれる。
【００７８】
連続リング９１の内側の領域９３は、従って、軸受けまたは他の構造要素から自由であり、かつコンベア装置の内部に設置されたシテスムへの自由なアクセスに使用できる。操作側の側フレーム９４はこの領域において切欠かれている。このアクセス可能性は設置シテスムの作動状態で存在するので、作業シテスムに関する保持装置または支持装置が操作側から案内でき、または作業シテスムの作動位置から維持位置へ横切る方向への移動を可能にする装置が取付けられてよい。
【００７９】
図９の図示例は図８に記載の設計の例示断面図を示し、操作側は一側で開放している。
【００８０】
この図において、内部に設置されるシテスムは図示されていない。
【００８１】
駆動側の側フレーム１００はシートコンベア装置の主マウント１０２のための軸受け要素１０１を保持するために使用される。歯付きスプロケットとして図示された駆動スプロケット１０４は駆動フランジ１０３上に取付けられている。
【００８２】
トランスミッション要素によって、ここでは、歯付きベルト１０５、歯付きベルトプーリー１０６およびギア１０７によって、コンベア装置の駆動が上述のごとく提供される。
【００８３】
同様に、カムローラ１０８を介してコンベア装置のシートグリッパシテスム１０９の制御用カムディスク（図示せず）等の全制御要素は駆動側に配置される。更に、コンベア装置それ自体の機械的閉鎖または負荷受け部１１０は駆動側に設置される。
【００８４】
操作側で、支持マウントは連続リング１１１により提供され、連続リングはシート通路の略名目直径に配置され、かつ外連続リングまたは内連続リングとして構成され、かつカムローラ１１２により側フレーム１１３に取付けられる。
【００８５】
操作側の側フレーム１１３は操作開口部１１４から内部１１５に設置されたシテスムへの自由アクセスを確実にするために連続リング１１１により描かれる領域内で可能なかぎり最大限まで開放する。
【００８６】
作業シテスムの両側への負荷受けによる機械的取付を可能にするために、反対側の駆動フランジ１０３は中空シャフトとして構成される。フランジ開口部１１６への、例えばクロス部材または設置要素の保持は、駆動側で側フレームに堅く固定する目的から外側へ誘導されることが有利である。
【００８７】
図１０の図示例において、シートコンベア装置は既存のシート供給機へ機能的構成要素として一体化される。
【００８８】
シート供給機１２０からシートはシートコンベア装置へ周辺および側の位置合わせを維持する供給ドラム１２１を介して供給される。
【００８９】
図示例のコンベア装置は、シート前側面を前側ユニット１２２に作用させ、かつシート後側面を本発明による方法で後側ユニット１２３に作用させる。
【００９０】
シートコンベア装置内に図示構成で設置されたシテスム１２４，１２５，１２６，１２７によって付与されるシートデータまたはマーキングは、下流に配置された印刷ユニットまたはシート配送ユニットにおける制御、遮断、または他の生産の変更または作業選別目的に有利に使用できる。シートコンベア装置において本発明による位置合わせした状態のシート運搬によって、印刷されたシートは直接、即ち他の機械的シート位置合わせを必要とすることなく、移送シリンダにより、例えば続くシート印刷機１２８へ移送できる。
【００９１】
更に、マーキング装置１２９において、シートコンベア装置内に設置されたシテスムにより作成されかつ伝送されるシートデータは、例えばインクジエットプリンタまたはインクスプレイシテスムによって、印刷シートに判読可能または記号化された情報として付与される。
【００９２】
適宜設計において、マーキング装置１２９は、カラーバー等またはカラーバーを特に識別するための検出可能または機械読み取り可能記号を付与することにより、個別印刷シートまたは個別ブランクを消去する目的で使用できる。
【００９３】
生産された印刷シートの選別は、コンベア装置１２２，１２３内に設置されたシテスム１２４，１２５，１２６，１２７により付与される製造分類、またはマーキングステーション１２９で形成された識別に従って、複数のシートの山を有するシート配送装置１３０で行なわれる。
【００９４】
図１１の図示形態において、シートコンベア装置はそれ自体がシート供給機の主ユニットとして作動するものとして示されている。
【００９５】
シート供給機の構成要素１２０，１２１およびコンベア装置１２２，１２３およびこの事例における作業シテスム１２４，１２５，１２６，１２７は図１０の構成に対応する。
【００９６】
ただし、印刷ユニットにおける他の生産または印刷作業に続かず、図１０に記載の機能を有するシート配送装置１３０および例えば一体化されたマーキングステーション１２９へ搬送されるシートの直接的移送に続く。
【００９７】
コンベア装置、ならびにシート供給および配送装置を駆動するために、自蔵式駆動部１３１はシート供給機に一体化されている。従って、図示設計の主機能は、他のタイプの生産プロセスから分離した、本発明によるシートの搬送、プロセッシング、モニタ、マーキング、および検査作業の処理の実行にある。
【図面の簡単な説明】
【図１】
四つのグリッパシテスム、内側に設置されたプロセッシングまたはモニタシテスム、および外側に設置された吸引またはシートガイド要素を有するコンベア装置の概略図を示す。
【図２】
コンベア装置内に設置されたシテスム、およびフレームの外側に設置された駆動ギアを保持する固定中心軸の概略図を含む図１のコンベア装置の例示断面図を示す。
【図３】
例示として配置されたプロセッシングおよびモニタシテスムを備えた印刷シートの前後両側面に作用する二重設計のコンベア装置、およびシート移送用の移送ドラムの概略図を示す。
【図４】
歯付きベルト駆動装置、および駆動ベルトの自由組立および分解のために中心に配置された軸受けフレームを有する二重設計のコンベア装置の概略図を示す。
【図５】
駆動面から外側へ側方に誘導された軸受けフレームの概略図を含む図４の歯付きベルト駆動装置の他の形態の例示断面図を示す。
【図６】
一つの駆動装置から次の駆動装置または移送ドラムへ搬送されるシートを精確に位置合わせして移送するための「ｄｏ歯付きセグメント＜ｄｏシート通路」で構成されるシート移送点で半径方向に配置された歯付きセグメントを有する二重設計のコンベア装置の概略図を示す。
【図７】
分離グリッパアームを有しないが、プロセッシングまたはモニタされるシートの全面に自由にアクセスするためにシリンダ外面に半径方向の切欠きを有する閉鎖中空シリンダとして設計されたコンベア装置の概略図を示す。
【図８】
コンベア装置の内部に設置されたシテスムに側方から自由にアクセスするために駆動側で閉鎖しかつ作業側で開放した設計のコンベア装置の概略図を示す。
【図９】
駆動側で閉鎖しかつ作業側で開放した設計の図８のシートコンベア装置の例示断面図を示す。
【図１０】
シート供給された印刷機内のシートの前後両側面の処理または検査のために二重設計されたシートコンベア装置の例示配置図を示す。
【図１１】
印刷機へ一体化されることなく作動する自蔵式シートコンベア機としてシートの前後両側面の処理または検査のために二重設計されたシートコンベア装置の例示配置図を示す。
【国際公開パンフレット】
2004517787.tif 000003
2004517787.tif 000004
2004517787.tif 000005
2004517787.tif 000006
2004517787.tif 000007
2004517787.tif 000008
2004517787.tif 000009
2004517787.tif 000010
2004517787.tif 000011
2004517787.tif 000012
2004517787.tif 000013
2004517787.tif 000014
2004517787.tif 000015
2004517787.tif 000016
2004517787.tif 000017
2004517787.tif 000018
2004517787.tif 000019
2004517787.tif 000020
2004517787.tif 000021
2004517787.tif 000022
2004517787.tif 000023
2004517787.tif 000024
2004517787.tif 000025
2004517787.tif 000026
2004517787.tif 000027
2004517787.tif 000028
2004517787.tif 000029
2004517787.tif 000030
2004517787.tif 000031
2004517787.tif 000032
2004517787.tif 000033
2004517787.tif 000034
2004517787.tif 000035
2004517787.tif 000036
2004517787.tif 000037
2004517787.tif 000038
2004517787.tif 000039
2004517787.tif 000040
2004517787.tif 000041
2004517787.tif 000042
2004517787.tif 000043
【国際調査報告】
2004517787.tif 000044
2004517787.tif 000045
2004517787.tif 000046
2004517787.tif 000047
2004517787.tif 000048
2004517787.tif 000049